(57)【要約】  【目的】  駐車場サービスや車輌レンタルサービスを自動化して管理者の無人化を計り省力化やコストダウンを実現するためには、駐車装置に施錠装置を設けると共に利用料金の精算装置を設ける必要があるが、この料金精算装置を細長い筒状の筐体を用いて場所を取ることなくスッキリと設置出来るようにし、またこの際に組み立て作業が楽であるようにすることを課題とする。さらに種々の機能を有する部位の位置取りの自由度を高めることを課題とする。  【構成】  立設された支柱の回りが、この支柱に取り付けられた筒状の外壁でカバーされており、この筒状外壁の内部に料金精算装置を構成する機能ブロックが積み上げて納められており、前記筒状の外壁は前記機能ブロック毎に上下方向に分離可能に設けられているものとした。各々の機能ブロックに対応する外壁には、その機能にアクセスするための窓やスイッチなどを設けることがある。【選択図】      図１
2005339452.tif 000002
【特許請求の範囲】
【請求項１】
立設された支柱の回りがこの支柱に取り付けられた筒状の外壁でカバーされており、この筒状の外壁の内部に料金精算装置を構成する機能ブロックが積み上げて納められており、前記筒状の外壁は前記機能ブロック毎に上下方向に分離可能に設けられていることを特徴とする、駐車装置の料金精算装置。
【請求項２】
前記筒状の外壁の内側に前記支柱を通す孔が設けられている、請求項１に記載の駐車装置の料金精算装置。
【請求項３】
前記筒状の外壁の内側に前記支柱を通す溝が設けられている、請求項１に記載の駐車装置の料金精算装置。
【請求項４】
前記筒状の外壁の一部を開閉自在とする扉が設けられている、請求項１に記載の駐車装置の料金精算装置。
【請求項５】
前記支柱が前記扉がある部位でこの部位に納められている機能ブロックの長さ分だけ欠いて設けられている、請求項４に記載の駐車装置の料金精算装置。
【請求項６】
前記支柱が延設可能となるように支柱の端部に接続部を備えている、請求項１に記載の駐車装置の料金精算装置。
【請求項７】
前記機能ブロックが連続したまたは不連続の複数の区間に分けて設けられている、請求項１に記載の駐車装置の料金精算装置。
【発明の詳細な説明】
【技術分野】
【０００１】
この発明は、駐車場サービスや車輌レンタルサービスで用いられる駐車装置の料金精算装置に係り、特に筒状の外壁の中に料金精算装置が装着しやすいように構成されたものに関する。
【背景技術】
【０００２】
駐車場サービスや車輌レンタルサービスを自動化して管理者の無人化を計り、省力化やコストダウンを実現するためには、駐車装置に施錠装置を設けると共に利用料金の精算装置を設けることが必須となる。
【０００３】
例えば特願２００４−０７５８４０号の「駐車台取付ユニットおよびユニット式駐車設備」はユニット式の駐車設備に関する発明であるが、これには精算装置としての操作盤が設けられている。この操作盤のコイン投入口にコインを投入して（コイン投入の代わりにプリペイドカードの使用も可能としている）精算し、テンキーによって駐車台番号を指定すると、この情報は制御装置へと伝達され、制御装置は精算を確認し駐車台番号を確認して、通信ケーブルを通じて施錠装置のソレノイドに通電し、この駐車台に駐車されている自転車の前輪を開放して、出庫可能な状態にする。なお発券機はプリペイドカードを発行するためのものであるが、この他にはコイン（硬貨）による精算を可能としている。また入出力部では釣銭を取り扱うことが出来る。なお操作盤の下方に取り付けられている呼出ボックスには１１０番、１１９番、お助け隊（ＮＧＯの地域巡回パトロール隊）等々の呼出ボタンや、マイク付きのスピーカや、通話ボタンが設けられている。これ等によって緊急に通報したいような事態に対応することが可能である。この他にも操作盤には所望の機能を追加することが可能である。
【特許文献１】特願２００４−０７５８４０号（図１７）
【発明の開示】
【発明が解決しようとする課題】
【０００４】
さて従来の自動車駐車場には、出口付近に大きな料金精算装置が設けられており、場所を取るものとなっている。またこれほど大きくはないが、上述した特願２００４−０７５８４０号の料金精算装置は、細い支柱の上端に大きな精算装置が設けられている。特に特願２００４−０７５８４０号は、これはこれで優れた発明であるが、更に一段省スペースなものとすべく更なる改良が加えられることが望まれる。
【０００５】
そこで鋭意研究の結果、細い支柱の上端部に大きな料金精算装置を置くと言う構成にするのではなくて、上から下までほぼ同じ太さのポスト様の筒状の筐体にして、ここに精算装置の全てを納めたら、ずいぶんとスッキリして場所を取らないものとなったのである。
【０００６】
しかしながら上記の構成にしたがためにまた別の問題を生じている。すなわち料金精算装置を縦長に構成して、これを筒状の筐体の一側より挿着するのであるが、料金精算装置を細長い筐体内に端部から挿入して組み立てるのに大変に骨の折れる作業を強いられるようになったのである。また修理や点検のために筒状の筐体から料金精算装置を引き出し、再度組み立てるのも同様に大変なのである。更にこの構成であると、例えばコイン投入に係わる部位と発券機の部位との位置を交換したり、領収証の印刷機の部位を追加したり、発券機の部位の位置を変えたり取り外したり、一部機能を変更したり、組み合わせが自由な多品種少量生産を行なうと言うようなことが難しいか、事実上不可能なのである。
【０００７】
従ってこの発明は、料金精算装置を細長い筒状の筐体を用いて場所を取ることなくスッキリと設置したいのであるが、この際に組み立て作業が楽であるようにすることを課題とする。更に種々の機能を有する部位の位置取りの自由度を高めることを課題とする。
【課題を解決するための手段】
【０００８】
上記課題は、立設された支柱の回りがこの支柱に取り付けられた筒状の外壁でカバーされており、この筒状外壁の内部に料金精算装置を構成する機能ブロックが積み上げて納められており、前記筒状の外壁は前記機能ブロック毎に上下方向に分離可能に設けられているものとすることにより達成される。なお各々の機能ブロックに対応する外壁には、その機能にアクセスするための窓やスイッチなどが設けられる場合がある。
【０００９】
機能ブロックとしては、例えばコイン投入口とコイン計数機のブロック、釣銭払戻機のブロック、カード受入口とカード読取機のブロック、テンキーボードと各種スイッチのブロック等々が任意に準備される。これ等の機能ブロックは上下方向に位置が決められて積層される。下から順に積層する都度、対応する筒状の外壁を支柱に取り付ければよく、必要に応じて機能ブロックと外壁との間を接続したり、配線したりすればよい。すなわち機能ブロックも対応する外壁も、作業がし易いように少しずつ積層して行けばよいのである。従って分解も楽であり、機能ブロック間の位置取りの変更なども容易である。また内部に機能ブロックが設けられていない外壁と言うものの存在も許容される。
【００１０】
なお前記筒状の外壁の内側に前記支柱を通す孔が設けられているものとすることが出来る。支柱に筒状の外壁の孔を通すことによって、外壁を支柱に固定するのである。この作業は容易である。
【００１１】
また前記筒状の外壁の内側に前記支柱を通す溝が設けられているものとすることが出来る。支柱に筒状の外壁の溝を通すことによって、外壁を支柱に固定するのである。この作業も容易である。
【００１２】
また前記筒状の外壁の一部を開閉自在とする扉が設けられているものとすることが出来る。扉を開閉自在とすることで、この扉の内部の機能ブロックに容易にアクセスすることが出来るようになる。筒状の外壁をこの機能ブロックに対応させていることから、このような構成が容易になっている。なお前記支柱が前記扉がある部位でこの部位に納められている機能ブロックの長さ分だけ欠いて設けられているものとすることが可能である。前記扉を開放した時に支柱が邪魔にならないと言う効果がある。
【００１３】
また前記支柱が延設可能となるように支柱の端部に接続部を備えているものとすることが出来る。支柱と筒状の外壁と機能ブロックとを延設することにより、更に機能を増やすことが出来る。あるいは逆に支柱を短くして全体を小型化することも可能である。後者については、筒状の外壁の内部に機能ブロックが設けられていない空間を無くして行くことが出来る。
【００１４】
また前記機能ブロックが連続したまたは不連続の複数の区間に分けて設けられているものとすることが出来る。これによれば一つの機能を二つの機能ブロックに分けて構成したり、その二つの機能ブロックを離れた位置に飛ばして設けることが可能となる。
【発明の効果】
【００１５】
この発明は、料金精算装置を構成する機能ブロックが支柱に囲まれて積み上げられており、各機能ブロックに対応させて外壁が支柱に取り付けられる。従って機能ブロックを積層して行きつつ外壁を取り付けることが出来、組み立て作業が行ないやすく、分解も楽であり、機能ブロック間の位置取りの変更なども容易である。
【００１６】
この結果、料金精算装置を細長い筒状の筐体を用いて場所を取ることなくスッキリと設置することが出来、この際に組み立て作業が楽になり、更に種々の機能を有する部位の位置取りの自由度が高まると言う効果を奏する。
【発明を実施するための最良の形態】
【００１７】
第１実施形態
図１乃至図３を用いてこの実施形態を説明する。図１は分解斜視図であり、一部の筒状外壁が内部を見やすくするために図示されていないと共にキャップ３１が持ち上げられた状態を表わしている。図２は後述する機能ブロックと支柱３０と筒状外壁４，４０とを組み付けた状態を分かりやすく表わした模式図である。また図３は、支柱３０に対する筒状外壁５の取り付け状態を表わす部分平面図である。なおこの実施形態の料金精算装置は、有料で二輪車を預かるタイプの駐車装置に取り付けられるものである。
【００１８】
４本の鉄パイプ製の支柱３０がコンクリート製の基台３から立設されている。この４本の支柱３０の間に各機能ブロックが積層されている。機能ブロックとしては一番下が電源ブロック２であり、次が空きとなっており、その上に釣銭返却ブロック１０が、またその上にコイン投入ブロック１が精算関連の機能を分散される形で積層されている。これ等の機能ブロックは、下から順に積み上げられるが、この都度前記４本の支柱３０に筒状外壁が取り付けられる。電源ブロック２の回りの支柱３には筒状外壁５が、次の空きには図示しない筒状外壁が、その上の釣銭返却ブロック１０には筒状外壁４０が、最上段のコイン投入ブロック１には筒状外壁４が取り付けられており、最後にキャップ３１が被されている。
【００１９】
前記４本の支柱３０には筒状外壁４，４０，５などが取り付けられるが、これ等の筒状外壁と支柱３０との組み付け構成に付いては筒状外壁５を用いて説明する。筒状外壁５の４箇所にある内側の角部５０には両側から支柱３０を抱え込み得る腕部５１が形成されている。従ってこの腕部５１の間にある空間に支柱３０を挿通することによって、支柱３０に筒状外壁５を取り付けることが出来るのである。この作業は極めて容易である。
【００２０】
ちなみに前記電源ブロック２は蓄電池と冷却装置とから構成されており、蓄電池には図示しない風力発電と太陽光発電ユニットが接続されており、この蓄電池には冷却装置が添設されている。また釣銭返却ブロック１０に対応する筒状外壁４０の前面（ユーザーが操作する側の面）にはパネル６５が取り付けられ、このパネル６５には釣銭返却口６６と取り消しボタン６７とが設けられている。後述するコイン投入口６２から投入された金額を精算して釣銭があればこの釣銭返却口６６から排出するようになっており、コイン投入をキャンセルしたい場合には取り消しボタン６７を押すとことで相当の動作が起こるように設計されている。次にコイン投入ブロック１に対応する筒状外壁４の前面にはパネル６が取り付けられ、液晶表示部６０、テンキーボード６１、コイン投入口６２、カード挿入口６３、後述するＩＣカード読み取り用のアンテナ部６４がこのパネル６に設けられている。ユーザーが自分の二輪車を駐車させた駐車装置番号をテンキーボード６１から指定すると、精算されるべき駐車料金が液晶表示部６０に表示されるようになっている。そこで所要の金額のコインをコイン投入口６２に投入するか、プリペイドカードをカード挿入口６３に挿入するか、ＩＣカードを前記アンテナ部６４にかざすかすると、コイン投入ブロック１の図示しない制御装置は、料金精算を行なうようになっている。
【００２１】
なお前記ＩＣカードとはＲＦＩＤ(Radio Frequency Identification)カードの一種であり、非接触ＩＣカードのことである。ＲＦＩＤカード（ＩＣタグやＩＣカード）とカードリーダ・ライタとが電波で通信して認証データの授受を行なうものである。このＩＣカードにはＩＣチップとアンテナとが納められているが、カードリーダ・ライタからの電波で起電するもの以外に、内蔵する電池で動作するものもある。すなわち上述したアンテナ部６４との間で通信を行ない得るＩＣカードによって料金精算を行なうのである。ＲＦＩＤはＪＩＳ規格で定められている。
【００２２】
このように下から順に各機能ブロックを積層する都度、対応する筒状の外壁を支柱に取り付ければよい。また例えば釣銭返却ブロック１０とパネル６５の取り消しボタン６７との間や、コイン投入ブロック１とパネル６の液晶表示部６０やテンキーボード６１やアンテナ部６４との間には、必要な配線が施されている。また釣銭返却ブロック１０とパネル６５の釣銭返却口６６との間や、コイン投入ブロック１とパネル６のコイン投入口６２やカード挿入口６３との間には、必要な機械的な連絡が施されている。
【００２３】
第２実施形態
この実施形態はその殆どの構成を上述した第１実施形態のそれに倣うものであるが、筒状外壁と支柱３０との組み付け構成が異なっている。これを筒状外壁５を用いて説明すると、筒状外壁５の４箇所にある内側の角部５０には支柱３０を挿通し得る通孔５２が形成されている（図４）。従ってこの通孔５２に支柱３０を挿通することにより、支柱３０に筒状外壁５を取り付けることが容易に行なえるのである。
【００２４】
第３実施形態
図５はこの実施形態のスペーサ７の平面図である。スペーサ７は上下に積層される筒状外壁の間に挿着されるものであり、ここで支柱３０をしっかりと固定するものである。すなわちこのスペーサ７には、鍔部７０の４角に支柱３０を挿通し得る通孔７１が形成されており、この通孔７１に支柱３０を挿通することにより、支柱３０を支えるようになっている。従って筒状外壁には上述のような腕部５１や通孔５２のような支柱３０を固定する部材は不要であり、筒状外壁は単に支柱３０に被せるようにすれば組み上がるのである。なお前記通孔７１にはゴムブッシュを取り付けるようにしてもよい。
【００２５】
第４実施形態
この実施形態はその殆どの構成を上述した第１実施形態のそれに倣うものであるが、筒状外壁４，４０や、図示しない筒状外壁５の後面（ユーザーが操作する側とは反対側の面）に蓋部が設けられている点に特徴を有する。図６はこの実施形態の部分斜視図であるが、筒状外壁４０には蓋部４４が、蝶番４５を以て開閉が自在となるように取り付けられており、この筒状外壁４０には鍵孔４６を有する錠機構が設けられている。また同様に筒状外壁４には蓋部４１が、蝶番４２を以て開閉自在に取り付けられており、更に鍵孔４３を有する錠機構が設けられている。この構成によって釣銭返却ブロック１０やコイン投入ブロック１のメンテナンスが、この料金精算装置を分解することなく容易に行なうことが出来るようになっている。
【００２６】
第５実施形態
さてこれまで説明して来た支柱３０は１本の鉄パイプであった。しかしながらこの実施形態の支柱は所要本数の支柱部材８を繋ぎ合わせて、所要の長さの１本の支柱とし得るようにしたものである。すなわち図７の斜視図で表わされているように、鉄製丸棒の一側に内部にネジが切られたネジ穴８０が設けられており、他側に前記ネジ穴８０にネジ込み得るネジ山が刻設されたネジ部８１が設けられて、支柱部材８が形成されている。この支柱部材８を幾つか繋げた状態の各支柱部材８の長さは、機能ブロックの高さに適合するような長さとすればよい。この支柱部材８を用いることによって、料金精算装置に新たな機能を増設することなどが可能となっている。
【００２７】
或いはまた、上述した蓋部４１や蓋部４４を取り付けるスペースを筒状外壁の面いっぱいに取ったような場合で、蓋部を開けると支柱が邪魔になるような場合には、この機能ブロックの部位の支柱を部分的に欠いて設けることも可能である（図示せず）。このような際にも前記支柱部材８は有効である。これより上方の支柱部材８は筒状外壁などによって支持される。
【産業上の利用可能性】
【００２８】
なお上述した筒状外壁は結果的に筒状になればよいから、初めから完全な筒状体として構成しなくてもよい。また筒状外壁の形状は上述した実施形態のものに限定されることなく、円筒形状など自由に設計することが出来る。またその細さなどの寸法も任意に決定することが出来る。料金精算装置を構成する図示しない制御装置は、有線や無線で管理者側装置に接続することが可能である。また地域安全のために上述したような特願２００４−０７５８４０号の呼び出しボックスを設けることも可能である。またこの発明の料金精算装置を自動車の駐車場に、数台分を１ブロックとして管理し得るように設けることなども可能である。
【図面の簡単な説明】
【００２９】
【図１】第１実施形態の分解斜視図である。
【図２】同実施形態の組み付け状態を表わす模式図である。
【図３】同実施形態の部分平面図である。
【図４】第２実施形態の部分平面図である。
【図５】第３実施形態のスペーサ７の平面図である。
【図６】第４実施形態の部分斜視図である。
【図７】第５実施形態の支柱８の斜視図である。
【符号の説明】
【００３０】
１    コイン投入ブロック
１０  釣銭返却ブロック
２    電源ブロック
３    基台
３０  支柱
３１  キャップ
４    筒状外壁
４０  筒状外壁
４１  蓋部
４２  蝶番
４３  鍵孔
４４  蓋部
４５  蝶番
４６  鍵孔
５    筒状外壁
５０  角部
５１  腕部
５２  通孔
６    パネル
６０  液晶表示部
６１  テンキーボード
６２  コイン投入口
６３  カード挿入口
６４  アンテナ部
６５  パネル
６６  釣銭返却口
６７  取り消しボタン
７  スペーサ
７０  鍔部
７１  通孔
８    支柱部材
８０  ネジ穴
８１  ネジ部
【図１】
2005339452.tif 000003
【図２】
2005339452.tif 000004
【図３】
2005339452.tif 000005
【図４】
2005339452.tif 000006
【図５】
2005339452.tif 000007
【図６】
2005339452.tif 000008
【図７】
2005339452.tif 000009